(57)【要約】【課題】  パソコン上でイメージ画像を拡大縮小などの加工しても画像が劣化することはなく、重なり合って表示されている複数の測定波形の中から任意の波形だけを取り出して表示させることができる表示装置を提供すること。【解決手段】  波形測定装置の測定波形をパソコン上で表示するのにあたり、  測定波形をデジタル化した波形データと波形測定装置の表示画像データに基づきベクタデータに変換し、  このベクタデータを画像データを操作するためのインタフェースとともにＨＴＭＬファイル化し、  このＨＴＭＬファイルをパソコンのブラウザで開くようにしたもの。【選択図】                    図１
2005127954.tif 000002
【特許請求の範囲】
【請求項１】
波形測定装置の測定波形をパソコン上で表示するのにあたり、
測定波形をデジタル化した波形データと波形測定装置の表示画像データに基づきベクタデータに変換し、
このベクタデータを画像データを操作するためのインタフェースとともにＨＴＭＬファイル化し、
このＨＴＭＬファイルをパソコンのブラウザで開くことを特徴とする測定装置。
【請求項２】
前記ベクタデータは、ＳＶＧデータであることを特徴とする請求項１記載の測定装置。
【請求項３】
前記画像データを操作するためのインタフェースは、表示波形の拡大・縮小設定手段であることを特徴とする請求項１記載の測定装置。
【請求項４】
前記画像データを操作するためのインタフェースは、表示波形の移動方向指定手段であることを特徴とする請求項２記載の測定装置。
【請求項５】
前記画像データを操作するためのインタフェースは、重なり合って表示されている複数の測定波形の中から任意の波形を選択指定する波形選択手段であることを特徴とする請求項１記載の測定装置。
【発明の詳細な説明】
【技術分野】
【０００１】
本発明は表示装置に関し、詳しくは、測定波形や測定データのトレンド記録などの画像データの表示処理に関するものである。
【背景技術】
【０００２】
特許文献１には、ビットマップ形式の表示を行うデジタルオシロスコープにおいて、アナログオシロスコープと同様な輝度制御を行う技術が開示されている。
具体的には、各ベクトルへの変換期間中に単位ベクトル当たりのアタック数を選択し、単位アタック当たりの輝度ユニットの数を選択し、各現在のベクトルにおけるピクセル数を決定し、単位ベクトル当たりの選択したアタック数が現在のベクトルにおけるピクセル数以上の場合、単位アタック当たりの輝度値の選択したユニット数、又はこのユニット数の所定倍数を、現在のベクトル内の各ピクセルに適用するものである。
【０００３】
ここで、特許文献１に記載の技術は同一画面上に重ねるように表示される複数波形の各波形の輝度を個別に制御することから、個別波形を識別する点については本発明との共通点が見出せる。しかし、特許文献１に記載されている技術はビットマップ形式で表示されるデジタルオシロスコープにおける個々の波形の輝度制御であり、本発明のように、外部のパソコンでベクタ方式の画像データを観測することに関する言及はない。
【０００４】
【特許文献１】特開平１１−２８２３９４
【０００５】
図６は従来のデジタルオシロスコープにおける画像データ処理系統の一例を示すブロック図である。画像用バッファ1に格納されている測定波形の画像データは、グラフィックコントローラ2を介してＣＰＵ3に読み出される。ＣＰＵ3は、画像用バッファ1から読み出された画像データを画像表示するためにビットマップ形式に変換し、ビットマップファイルとしてビットマップ用バッファ4に格納する。そして、ビットマップ用バッファ4に格納されたビットマップファイルを保存用メディア5に転送格納する。保存用メディア5に転送格納されたビットマップファイルは必要に応じて図示しないパソコンに読み出され、測定波形のイメージ画像が表示される。
【０００６】
図７は図６の画像データ処理系統でフォーマット変換されたビットマップファイルのパソコンにおける表示画面例図であり、パソコン上のソフトウェアで2系統の測定波形のうちの一方の波形Ｗの矩形で囲まれた部分ＭＡを拡大波形ＭＡとして表示した場合を示している。
【０００７】
図８も図６の画像データ処理系統でフォーマット変換されたビットマップファイルのパソコンにおける表示画面例図であり、複数の測定波形Ａ〜Ｄが重なり合って表示された例を示している。
【発明の開示】
【発明が解決しようとする課題】
【０００８】
しかし、図７の拡大イメージ画像ＭＷに注目すると、ビットマップイメージデータを拡大処理していることから画像が劣化し、ギザギザが目立ってしまうという問題がある。
【０００９】
また、図８において、測定目的によっては、重なり合って表示されている複数の測定波形Ａ〜Ｄの中から任意の波形だけを取り出して表示させたい場合があるが、ビットマップイメージデータは複数の測定波形が重なり合った状態を１枚の表示画面として各ビットにマッピングしていることから、任意の所望する波形だけを取り出して表示させることはできない。
【００１０】
本発明は、これら従来の問題点を解決するものであり、その目的は、パソコン上でイメージ画像を拡大縮小などの加工しても画像が劣化することはなく、重なり合って表示されている複数の測定波形の中から任意の波形だけを取り出して表示させることができる表示装置を提供することにある。
【課題を解決するための手段】
【００１１】
このような課題を達成するために、本発明のうち請求項１記載の発明は、
波形測定装置の測定波形をパソコン上で表示するのにあたり、
測定波形をデジタル化した波形データと波形測定装置の表示画像データに基づきベクタデータに変換し、
このベクタデータを画像データを操作するためのインタフェースとともにＨＴＭＬファイル化し、
このＨＴＭＬファイルをパソコンのブラウザで開くことを特徴とする。
【００１２】
請求項２記載の発明は、請求項１記載の測定装置において、
前記ベクタデータは、ＳＶＧデータであることを特徴とする。
【００１３】
請求項３記載の発明は、請求項１記載の測定装置において、
前記画像データを操作するためのインタフェースは、表示波形の拡大・縮小設定手段であることを特徴とする。
【００１４】
請求項４記載の発明は、請求項１記載の測定装置において、
前記画像データを操作するためのインタフェースは、表示波形の移動方向指定手段であることを特徴とする。
【００１５】
請求項５記載の発明は、請求項１記載の測定装置において、
前記画像データを操作するためのインタフェースは、重なり合って表示されている複数の測定波形の中から任意の波形を選択指定する波形選択手段であることを特徴とする。
【発明の効果】
【００１６】
本発明によれば、パソコンの表示画面上で表示画像データの拡大・縮小などの加工を行っても、表示画像データが劣化することはない。
【００１７】
また、パソコンの表示画面上で重なり合って表示されている複数の測定波形の中から、任意の波形のみを選択して表示させることができる。
【発明を実施するための最良の形態】
【００１８】
以下、本発明を図面を用いて詳細に説明する。図1は本発明の一実施例を示すブロック図であってデジタルオシロスコープの例であり、図６と共通する部分には同一の符号を付けている。図１と図６の異なる点は、図６のビットマップ処理に代えて、図１ではベクタ処理を行っていることである。
【００１９】
図１において、ＣＰＵ6には、画像用バッファ1に格納されている測定波形の画像データがグラフィックコントローラ2を介して読み込まれるとともに、図示しないＡ／Ｄ変換器でデジタルデータに変換されて波形用バッファ7に格納されている波形測定データが読み込まれる。
【００２０】
ＣＰＵ6は、これら測定波形の画像データと波形測定データに基づき、測定波形をベクタ形式で表示するようにベクタデータへの変換処理を行い、ＨＴＭＬファイル化してベクタ用バッファ8に格納する。そして、ベクタ用バッファ8に格納されたＨＴＭＬファイルを保存用メディア9に転送格納する。保存用メディア9に転送格納されたＨＴＭＬファイルは必要に応じて図示しないパソコンに読み出され、測定波形のイメージ画像が表示される。ここで、ベクタ形式としては例えばAdobe System社が開発したＳＶＧ(Scalable Vector Graphics)を用いる。
【００２１】
ＳＶＧは、PostScriptをベースにして、ＸＭＬ(eXtensible Markup Language;拡張マークアップ言語)が持つ検索の可能性、ダイナミズム、拡張性を加えて、「Webを歩き回る」ようなインタラクティブ性を求めて開発されたものであり、ＳＶＧプラグインと汎用ブラウザとで専用ビューワを用いることなく自由度のある波形表示を行うことができる。
【００２２】
例えばデジタルオシロスコープに画像データをこのＳＶＧ形式で出力するCSV to SVG 変換ツールやWVF to SVG 変換ツールを組み込むことにより、従来のアスキー出力では実現できなかった機能が実現できる。
【００２３】
すなわち、定期的にＳＶＧファイルを作成することにより、測定対象の波形状況をＷｅｂサーバーを通して監視でき、Ｗｅｂに貼り付ることができる。
ベクタデータなので、表示波形の拡大縮小を自由自在に行える。
さらに、Java（登録商標）スクリプトでＨＴＭＬファイルにインターフェース機能を組み込むことにより、各種の動的な波形表現が行える。
【００２４】
図２は、本発明における表示画面例図であり、図７と同様に2系統の測定波形のうちの一方の波形Ｗの矩形で囲まれた部分ＭＡを拡大波形ＭＡとして表示した場合を示している。図２から明らかなように、波形を拡大表示しても図７のビットマップのような画像の劣化は見られない。
【００２５】
図３は、本発明における他の表示画面例図である。図３の例では、図８と同様に複数の測定波形Ａ〜Ｄが重なり合って表示されているが、表示画面の波形表示領域の近傍には任意の波形だけを取り出して表示するためのインタフェースとして波形選択部10が組み込まれている。図３の例では、ボタン11を操作して、重なり合って表示されている複数の測定波形Ａ〜Ｄの中から、実線で表示されている波形Ｂを選択表示する例を示している。
【００２６】
図４も、本発明における他の表示画面例図である。図４の例では、（Ａ）に示す基本波形を、（Ｂ）（Ｃ）に示すように垂直方向に拡大縮小したり、（Ｄ）（Ｅ）に示すように水平方向に拡大縮小する例を示している。
【００２７】
図４において、表示画面の波形表示領域の近傍には、波形の拡大縮小を操作するためのインタフェースとして拡大縮小指示部12が組み込まれている。図４の例では、ボタン13は水平方向の拡大を指示し、ボタン14は水平方向の縮小を指示し、ボタン15は垂直方向の拡大を指示し、ボタン16は垂直方向の縮小を指示する。ボタン17は、（Ｂ）〜（Ｅ）に示す拡大縮小表示状態から（Ａ）に示す基本波形表示状態にリセットする。
【００２８】
図５も、本発明における他の表示画面例図である。図５の例では、（Ａ）に示す基本波形を、（Ｂ）（Ｃ）に示すように上下方向に移動させたり、（Ｄ）（Ｅ）に示すように左右方向に移動させる例を示している。
【００２９】
図５において、表示画面の波形表示領域の近傍には、波形の移動を操作するためのインタフェースとして移動方向指示部18が組み込まれている。図５の例では、ボタン19は上方向への移動を指示し、ボタン20は右方向への移動を指示し、ボタン21は下方向への移動を指示し、ボタン22は左方向への移動を指示する。ボタン23は、（Ｂ）〜（Ｅ）に示すそれぞれの移動状態から（Ａ）に示す基本波形表示状態にリセットする。
【００３０】
なお、図４および図５では、説明の便宜上、拡大縮小機能と位置変更機能を個別に示しているが、両機能を並存させることは可能であり、両機能を並存させることによってリセットボタンを共用できる。
【００３１】
以上説明したように、本発明によれば、パソコンの表示画面上で表示画像データの拡大・縮小などの加工を行っても表示画像データが劣化することはなく、パソコンの表示画面上で重なり合って表示されている複数の測定波形の中から任意の波形のみを選択して表示させることができるので、デジタルオシロスコープなどの波形測定装置本体に組み込まれていない付加的な各種のデータ処理を必要に応じて高精度で実行できる。
【００３２】
なお、上記実施例では、波形測定装置がデジタルオシロスコープである例について説明したが、電力計やタイミングアナライザなどの波形測定装置にも好適である。
【図面の簡単な説明】
【００３３】
【図１】本発明の一実施例を示すブロック図である。
【図２】本発明における表示画面例図である。
【図３】本発明における他の表示画面例図である。
【図４】本発明における他の表示画面例図である。
【図５】本発明における他の表示画面例図である。
【図６】従来のデジタルオシロスコープにおける画像データ処理系統の一例を示すブロック図である。
【図７】従来の表示画面例図である。
【図８】従来の他の表示画面例図である。
【符号の説明】
【００３４】
１  画像用バッファ
２  グラフィックコントローラ
３  ＣＰＵ
７  波形用バッファ
８  ベクタ用バッファ
９  保存用メディア
１０  波形選択部
１２  拡大縮小指示部
１８  移動方向指示部
【図１】
2005127954.tif 000003
【図２】
2005127954.tif 000004
【図３】
2005127954.tif 000005
【図４】
2005127954.tif 000006
【図５】
2005127954.tif 000007
【図６】
2005127954.tif 000008
【図７】
2005127954.tif 000009
【図８】
2005127954.tif 000010